(57)【要約】  本発明はオンラインショッピング方法に関し、特にネットショップなどで友だちのアカウントにアイテムをプッシュする方法に関する。本発明の方法は、第１デバイス１００が第１ユーザアカウントとして加入されているネットショップでアイテムを選択し、予め友だち関係として登録されている第２ユーザアカウントを指定し、アイテム伝送イベントを生成すると、ネットショップを運営するサービスサーバ３００が前記アイテムを第２ユーザアカウントのアイテムページのリストに取り入れ、第２ユーザアカウントの第２デバイス２００が前記ネットショップにログインして自分のアイテムページに登録されているアイテムを確認するステップを含む。
2019523947.tif 000002
【特許請求の範囲】
【請求項１】
第１デバイスが第１ユーザアカウントとして加入されているネットショップからアイテムを選択し、
予め友だち関係と登録されている第２ユーザアカウントを指定し、アイテム伝送イベントを生成すると、
前記ネットショップサーバが前記アイテムを前記第２ユーザアカウントのアイテムページのリストに挿入し、
前記第２ユーザアカウントの第２デバイスが前記ネットショップにログインして、
自分のアイテムページに登録されている前記アイテムを確認するステップを含むことを特徴とする友だちのアカウントにアイテムをプッシュする方法。
【請求項２】
前記ネットショップサーバは、第１デバイスの第１ユーザアカウント画面を介して第２デバイスの第２ユーザアカウント情報を提供し、また、前記第２デバイスの前記第２ユーザアカウントのアイテムページを介してアイテムをすすめた前記第１デバイスのユーザアカウント情報を提供するものである請求項１に記載の友だちのアカウントにアイテムをプッシュする方法。
【請求項３】
第１デバイスと第２デバイスがネットショップに加入するステップと、
第１デバイスと第２デバイスが友だち関係を前記ネットショップに登録するステップと、
前記第１デバイスが前記ネットショップでアイテムを選択し、第２デバイスにアイテム伝送イベントを生成するステップと、
前記ネットショップサーバが前記アイテムを前記第２デバイスアカウントのアイテムページのリストに挿入するステップと、
前記第２デバイスが前記ネットショップにログインし、自分のアカウントのアイテムページに登録されている前記第１デバイスが選択したアイテムを確認するステップと、
前記第２デバイスが前記アイテムを購入するステップと、を含むことを特徴とするオンラインショッピング方法。
【請求項４】
前記ネットショップサーバは、前記アイテム伝送イベントが生成されれば、前記第２デバイスに前記第１デバイスからアイテムが伝送されたことを通知するステップを更に含む請求項３に記載のオンラインショッピング方法。
【請求項５】
前記ネットショップサーバは、前記第２デバイスが前記アイテムを購入すれば、前記第１デバイスが前記アイテムを購入したことを前記第１デバイスに通知するステップを更に含む請求項３に記載のオンラインショッピング方法。
【請求項６】
前記第２デバイスは複数であり、前記ネットショップサーバは前記第２デバイスが前記アイテムを購入するたびに、それに対応して予め登録されているアドバンテージイベントを前記第１デバイスのアカウントに与えるステップを更に含む請求項３に記載のオンラインショッピング方法。
【請求項７】
オンラインサイトに加入されている第１デバイスが前記オンラインサイトに加入されているＮ（Ｎは１より大きい整数）個の第２デバイスと友だち関係を登録し、
前記第１デバイスが前記オンラインサイトからアイテムを選択し、Ｋ（Ｋは１より大きいＮ以下の整数）個の第２デバイスを指定してアイテム伝送イベントを生成し、
前記オンラインサイトサーバが前記アイテムを前記Ｋ個の第２デバイスアカウントのアイテムページのリストに挿入し、
前記第１デバイスのアイテム伝送イベントの対象になった第２デバイスが前記オンラインサイトにログインして、
自分のアイテムページのリストに含まれている前記アイテムを確認するステップを含むことを特徴とする友だちのアカウントにアイテムをプッシュする方法。
【請求項８】
前記第２デバイスが自分のアイテムページに含まれているアイテムについて購入イベントを実行するステップを更に含み、購入イベントに応じて前記オンラインサイトサーバが予め決められた購入プロセスを第２デバイスに提供し、購入プロセスが完了すると、第１デバイスにアドバンテージイベントを実行するものである請求項７に記載の友だちのアカウントにアイテムをプッシュする方法。
【請求項９】
第１モバイルデバイス及び第２モバイルデバイスがショッピングサービスサーバが提供するモバイルショッピングアプリケーションを設置し、第１モバイルデバイスと第２モバイルデバイスが友だち関係を生成して前記ショッピングサービスに登録し、前記第１モバイルデバイスで前記モバイルショッピングアプリケーションを実行しアイテムを選択して、友だちアカウントである前記第２モバイルデバイスを指定しアイテム伝送イベントを生成すると、前記ショッピングサーバが前記アイテムを前記第２モバイルデバイスアカウントのアイテムページのリストに挿入し、前記第２モバイルデバイスが前記モバイルショッピングアプリケーションを実行して自分のアイテムページのリストに含まれている前記アイテムを確認し、そのアイテムに関する購入イベントを実行するステップを含むことを特徴とするモバイルショッピング方法。
【請求項１０】
前記第２モバイルデバイスは複数個である請求項９に記載のモバイルショッピング方法。
【発明の詳細な説明】
【技術分野】
【０００１】
本発明は、オンラインまたはモバイル商取引に関する技術であり、特に商品をすすめる方法に関する。
【背景技術】
【０００２】
買い物は生活である。デバイスとフラットフォーム技術の発展によって、ユーザはいつどこでも買い物をすることができる。インターネットウェブブラウザを介してネットショップに接続し、モバイルアプリを介して商品を購入することもできる。しかし買い物が容易になっただけに、競争も激しくなった。ネットショップのフラットフォームを運営する業者は、より容易で便利に買い物をすることができる技術ソリューションを提供してきた。同時に、購入者の買い物を待つよりは、積極的に購入を促す政策を繰り広げてきた。
【０００３】
そのような技術としては、ソフトウェアマシーンがビックデータを収集し分析して、商品をすすめることが挙げられる。しかし、ユーザはビックデータの要素として取り扱われ、実際に購入に繋がるとはあくまでも理論的で間接的である。消費者個人の趣向と決心ではなく、誰かから促された購入としては、友だちのおすすめが考えられる。親しいほと、または信頼するほど、友だちのおすすめは購入に直接的な影響を及ぼす。
【０００４】
インターネット通信環境における友だちのすすめ方としては、第一、メッセージとしてイメージを伝送する方法がある。イメージを受信したユーザがそれを購入するためには、オンラインで検索して販売者を見つけた後、ログインを含む購入行為を行わなければならない。とてもわずらわしいといわざるを得ない。より親切な友達であれば、第二の方法で商品をすすめるだろう。おすすめ商品と販売者の位置まで特定されたリンクを転送する方法である。リンクを受信したユーザは、該当リンクをクリックすることで販売者のネットショップに接続することができる。第一の方法よりは簡便であるが、購入のためにはログインし商品を選択するなどの手続を踏まなければならない。
【０００５】
商品をすすめられた全てのユーザが高い購入意志を持っているとは限らない。リンクをもらったとして、全ての人がそのリンクをクリックするとはいえない。リンクによって販売者のネットショップに接続したとしても、その人がログインをし、おすすめ商品を選択して購入することにまで繋がるとは限らない。多くの段階を経るべきであって、段階ごとにユーザが離脱してしまう。
【０００６】
本発明の発明者らは、友だちにすすめられ、それによって購入にまで繋がる最適の機械があれば、購入まで最も便利で最も容易であるべきではないかと考えた。解決策を見つけるために長く苦心した。そして、長年調査し研究する中、最も簡便で完璧な解決策を見つけ、本発明を完成するに至った。
【発明の概要】
【発明が解決しようとする課題】
【０００７】
本発明の目的は、友だちにすすめられた商品であれば、まるで「ワンクリック注文」のように迅速で簡単に注文し得る状態が自動的に整えられる方法を提案することにある。
【０００８】
本発明において、「私」と「友だち」は全てユーザアカウントとして存在する。よって、本明細書における「友だち」との表現は、ネットワーク上で友だちと定義されてシステムに登録されているユーザアカウントを意味する。
【０００９】
本発明の他の目的は、友だち同士の商品のおすすめが決済まで容易に繋がるように技術環境を提供することで、買い物の拡散を図ることにある。
【００１０】
一方、本発明の明示されていない他の目的は、下記詳細な説明及びその他の効果から容易に推論し得る範囲内で追加的に考慮されるはずである。
【課題を解決するための手段】
【００１１】
このような課題を達成するために、本発明の第１局面は、友だちのアカウントにアイテムをプッシュする方法であって、第１デバイスが第１ユーザアカウントとして加入されているネットショップからアイテムを選択し、
予め友だち関係と登録されている第２ユーザアカウントを指定し、アイテム伝送イベントを生成すると、
前記ネットショップサーバが前記アイテムを前記第２ユーザアカウントのアイテムページのリストに挿入し、
前記第２ユーザアカウントの第２デバイスが前記ネットショップにログインして、
自分のアイテムページに登録されている前記アイテムを確認するステップを含むことを特徴とする。
【００１２】
本発明の好ましいある実施例による友だちのアカウントにアイテムをプッシュする方法において、前記ネットショップサーバは、第１デバイスの第１ユーザアカウント画面を介して第２デバイスの第２ユーザアカウント情報を提供し、また、前記第２デバイスの前記第２ユーザアカウントのアイテムページを介してアイテムをすすめた前記第１デバイスのユーザアカウント情報を提供する。
【００１３】
また、本発明の第２局面は、オンラインショッピング方法であって、
第１デバイスと第２デバイスがネットショップに加入するステップと、
第１デバイスと第２デバイスが友だち関係を前記ネットショップに登録するステップと、
前記第１デバイスが前記ネットショップでアイテムを選択し、第２デバイスにアイテム伝送イベントを生成するステップと、
前記ネットショップサーバが前記アイテムを前記第２デバイスアカウントのアイテムページのリストに挿入するステップと、
前記第２デバイスが前記ネットショップにログインし、自分のアカウントのアイテムページに登録されている前記第１デバイスが選択したアイテムを確認するステップと、
前記第２デバイスが前記アイテムを購入するステップと、を含むことを特徴とする。
【００１４】
また、本発明の好ましいある実施例によるオンラインショッピング方法において、前記ネットショップサーバは、前記アイテム伝送イベントが生成されれば、前記第２デバイスに前記第１デバイスからアイテムが伝送されたことを通知するステップを更に含む。
【００１５】
また、本発明の好ましいある実施例によるオンラインショッピング方法において、前記ネットショップサーバは、前記第２デバイスが前記アイテムを購入すれば、前記第１デバイスが前記アイテムを購入したことを前記第１デバイスに通知するステップを更に含む。
【００１６】
また、本発明の好ましいある実施例によるオンラインショッピング方法において、前記第２デバイスは複数であり、前記ネットショップサーバは前記第２デバイスが前記アイテムを購入するたびに、それに対応して予め登録されているアドバンテージイベントを前記第１デバイスのアカウントに与えるステップを更に含む。
【００１７】
本発明の第３局面は、友だちのアカウントにアイテムをプッシュする方法であって、
オンラインサイトに加入されている第１デバイスが前記オンラインサイトに加入されているＮ（Ｎは１より大きい整数）個の第２デバイスと友だち関係を登録し、
前記第１デバイスが前記オンラインサイトからアイテムを選択し、Ｋ（Ｋは１より大きいＮ以下の整数）個の第２デバイスを指定してアイテム伝送イベントを生成し、
前記オンラインサイトサーバが前記アイテムを前記Ｋ個の第２デバイスアカウントのアイテムページのリストに挿入し、
前記第１デバイスのアイテム伝送イベントの対象になった第２デバイスが前記オンラインサイトにログインして、
自分のアイテムページのリストに含まれている前記アイテムを確認するステップを含むことを特徴とする。
【００１８】
また、本発明の好ましいある実施例による友だちのアカウントにアイテムをプッシュする方法において、前記第２デバイスが自分のアイテムページに含まれているアイテムについて購入イベントを実行するステップを更に含み、購入イベントに応じて前記オンラインサイトサーバが予め決められた購入プロセスを第２デバイスに提供し、購入プロセスが完了すると、前記第１デバイスにアドバンテージイベントを実行する。
【００１９】
本発明の第４局面は、モバイルショッピング方法であって、
第１モバイルデバイス及び第２モバイルデバイスにショッピングサービスサーバが提供するモバイルショッピングアプリケーションを設置し、第１モバイルデバイスと第２モバイルデバイスが友だち関係を生成して前記ショッピングサービスに登録し、前記第１モバイルデバイスで前記モバイルショッピングアプリケーションを実行しアイテムを選択して、友だちアカウントである前記第２モバイルデバイスを指定しアイテム伝送イベントを生成すると、前記ショッピングサーバが前記アイテムを前記第２モバイルデバイスアカウントのアイテムページのリストに挿入し、前記第２モバイルデバイスが前記モバイルショッピングアプリケーションを実行して自分のアイテムページのリストに含まれている前記アイテムを確認し、そのアイテムに関する購入イベントを実行するステップを含むことを特徴とする。
【００２０】
また、本発明の好ましいある実施例によるモバイルショッピング方法において、前記第２モバイルデバイスは複数個であることが好ましい。
【発明の効果】
【００２１】
本発明によると、友だちがすすめた商品が自分のアカウントにプッシュされて自動的に入るため、すすめられたユーザが商品をすすめられたことを忘れても、サーバに接続するだけでいつでもすすられたこととすすめられた商品を確認することができるようになる。また、自分のアカウントから直ちに注文することができるため、迅速に決済し得る長所がある。このような効果によってユーザ同士で商品のおすすめが活性化されれば、友だち関係の生成自体がより活性化されるようになり、するとネットショップとソーシャルネットワークが融合された雰囲気を作ることができる。
【００２２】
また、本発明によると、商品はユーザ同士で行われる商品のおすすめによってより速くて広範囲にネットワークで拡散されることができ、それによってショッピング産業の発展を図ることができる。
【００２３】
一方、ここで明示的に言及されていない効果であっても、本発明の技術的特徴によって期待される以下の明細書に記載された効果及びその暫定的な効果は、本発明の明細書に記載されているように取り扱われることを付言する。
【図面の簡単な説明】
【００２４】
【図１】本発明の基本的な問題意識とその問題意識から出発した解決原理を示す図である。
【図２】本発明の好ましい一実施例による全体システムの構成例を示す図である。
【図３】本発明の好ましい一実施例によるサーバ３００、第１デバイス１００、及び第２デバイス２００の間の関係を概略的に示す図である。
【図４】複数の第２デバイス２００と第１デバイス１００との間の関係を示す図である。
【図５】本発明の好ましい一実施例による第２デバイス２００のユーザアカウントページ２０００に含まれるアイテムページ２５００の画面構成例を示す図である。
【図６】本発明の好ましいある実施例による方法の全体プロセスを概略的に示す図である。
【図７】本発明の好ましい他の実施例による方法の全体プロセスを概略的に示す図である。  添付した図面は本発明の技術思想に関する理解のために参照として例示されることを明らかにし、本発明の権利範囲はそれによって制限されない。
【発明を実施するための形態】
【００２５】
本発明を説明するに当たって、関連する公知機能について、本分野の技術者に自明な事項であって本発明の要旨を不明確にする恐れがあると判断される場合は、その詳細な説明は省略する。
【００２６】
図１は、本発明者の基本的な問題とソリューションを漫画形式に示している。図１（ａ）と図１（ｂ）は従来技術に関し、図１（ｃ）と図１（ｄ）は本発明に関する。
【００２７】
ネットワーク通信システムを介して友だちがある商品をすすめる際には、その商品に関するイメージを送るか、または図１(ａ)のようにその方品が位置するウェブページのリンクを送る。すると、メッセージが到着したとの通知がユーザディバス１を介して出力される。従来技術のうち、進歩したサービスの場合はおすすめ商品のリンク画面１ａを共に送る場合もある。ところが、友だちからある商品をすすめられたとしても、リアルタイムでリンクをクリックして直ちにその方品を購入することは稀である。ユーザがそのリンクメッセージを受けたとき、誰かとチャットをしている状況である可能性もある。そのおすすめに関する確認と購入は、一般に「忘れていなければ」、後ほど行われる。友だちから商品をすすめられたことを覚えていても、購入をするためには会員加入、ログインなどの手続を踏まなければならず、ウェブページが消えた場合はその商品ページを再度探さなければならない。覚えることも難しく、覚えていても実際に購入しようすると不便である。図１（ｂ）は、そのような点を描いている。
【００２８】
一方、本発明の基本思想は、図１（ｃ）に示したように、友だちが商品をすすめるに当たって、友だちのアカウントの中にその表品を最初から取り入れてくれるのである。ユーザデバイス１０の画面を見ると、リンク画面ではなく、ユーザアカウントページ１０ａ自体におすすめの商品が入っている。すると、友だちから商品をすすめられたことを忘れても、後から自分のアカウントに接続すると、友だちからすすめられた商品をすぐに確認することができる。自分のアカウントに入っているため、そのまま購入することもできる。このように、本発明によると、友だちから商品をすすめられたら、まるで自分がある商品を選択したかのように迅速で容易に商品を購入することができる。
【００２９】
では、本格的に本発明の構成と原理について説明する。図２は、本発明の好ましいある実施例による全体システムの構成を概略的に示している。
【００３０】
本発明のシステムでは、２つの異なる概念のユーザデバイスが存在する。第１デバイス１００のユーザと第２デバイス２００のユーザは友だち関係である。ここで、「友だち関係」とは、第１デバイス１００のユーザと第２デバイス２００のユーザとがサービスサーバ３００が提供するシステムに加入していてユーザアカウントを有し、またこれらのユーザアカウントが友だち関係として予め登録されていることを意味する。つまり、「友だち」は実際のオフライン生活での友だちではなく、オンラインネットワーク上のユーザ同士の関係を表象する。
数多くのユーザアカウントがシステムに登録されており、これらのユーザアカウント同士で複雑に友だち関係が生成されていると考えられる。本発明ではアイテムをすすめるユーザアカウントのデバイスを「第１デバイス」と、アイテムをすすめられるユーザアカウントのデバイスを「第２デバイス」として概念化されている。システム内では現実的に数多くのデバイスが存在すると思われるが、本発明ではこのように「アイテムのおすすめ」という観点から、デバイスが第１デバイス１００と第２デバイス２００に分類する。
【００３１】
本明細書において、「アイテム」とはサービスサーバ３００を介して購入し得る商品であって、製品（ｐｒｏｄｕｃｔ)に対する商品とサービス商品を通称する概念として使用されている。
【００３２】
第１デバイス１００及び第２デバイス２００は、デスクトップコンピュータやラップトップコンピュータのような電子装置であってもよく、タブレットＰＣやスマートフォンのようなモバイルデバイスであってもよい。サービスサーバ３００と通信することができ、アイテムを確認するか購入し得るプロセスを実行することができれば十分である。
【００３３】
好ましくは、本発明のサービスサーバ３００はデバイス１００、２００が接続し得るネットショップ３１０を運営する。また、サーバ３００は、このネットショップ３１０を介してアイテムの情報、検索、注文、決済サービスなどを支援するが、特に本発明の特許請求の範囲に記載されたサービスを提供する。
【００３４】
また、前記サービスサーバ３００は各種イベント、データの処理、データベースの管理、データの送受信、保安及び暗号化を初めとする一連のサーバ行動をする。このようなサーバ３００は一つ以上のサーボウェア／ソフトウェア装備を含んで構成されてもよく、複数のサーバ群が互いに通信する構造で構成されてもよい。
【００３５】
本発明の好ましいある実施例において、前記サービスサーバ３００は、ウェブ基盤のネットショップを運営するサーバである。本発明の好ましい他の実施例において、前記サービスサーバ３００は、ショッピングサービスを提供するモバイルアプリを運営するサーバである。本発明の好ましいまた他の実施例において、前記サービスサーバ３００は、ＳＮＳフラットフォーム、ポータルフラットフォーム、その他の一般のウェブサイトを運営しながら、それに付属してショッピングサービスを提供するサーバである。前記実施例の組み合わせたものあってもよい。このように、サーバは多様に変形されてもよい。しかし、以下で詳細に説明する第１デバイス１００及び第２デバイス２００との関係は共通している。
【００３６】
一方、サーバ３００は多数のデータベースを予め構築する。そのようなデータベースとしては、アイテム情報を貯蔵するデータベース３０１がある。また、登録されているユーザ情報を記録して管理するデータベース３０２がある。その他、サーバ運営に必要なデータベースが追加的に含まれる。そのようなデータベースとしては、図示されていないが、広告データベース、ログデータベース、課金データベースなどが挙げられる。
【００３７】
図３は、本発明の好ましい実施例によるサービスサーバ３００と第１デバイス１００及び第２デバイス２００の相互間のネットワーク行動の関係を概略的に示している。
【００３８】
第１デバイス１００と第２デバイス２００は、互いに友だち関係をサーバ３００に予め登録する。また、前記デバイス１００、２００は、サービスサーバ３００に加入者として登録されて固有アカウントを有する。
【００３９】
サービスサーバ３００は、アイテムリストを第１デバイス１００に提供する。一般に、第１デバイス１００がサービスサーバ３００のサイトに接続すると、ウェブページまたはモバイルページを介してアイテムリストが第１デバイス１００の画面に表示される。第１デバイス１００は画面を介してサービスサーバ３００が提供するアイテムリストを閲覧し、必要であればアイテムを検索、購入するなどのイベントを行う。これまでの局面は普通のオンラインサイトに接続してショッピング関連行為をするのと大きな差はない。
【００４０】
本発明において、特に重要なのはその後のプロセスである。第１デバイス１００は、特定のアイテムを選択する。そして、友だち関係と登録されている第２デバイスのユーザアカウントを指定する。その後、選択されたアイテムを第２デバイス２００のユーザにすすめるイベントを実行する。本明細書では、これを「アイテム伝送イベント」と称する。おすすめ商品に関する情報を、第１デバイス１００が直接通信網を介して第２デバイス２００に伝送する構成ではない。第１デバイス１００が、おすすめ商品を第２デバイス２００のユーザアカウントのページの中に挿入してほしいとサーバ３００に要請する構成である。
【００４１】
アイテム伝送イベントが発生すると、サーバ３００は第２デバイス２００のユーザアカウントのアイテムページの中に選択されたアイテムを挿入する。本明細書において、「アイテムページ」とはデバイスがサーバに接続してログインしてから接近し得るユーザアカウントページの一部の構成であって、友だちからすすめられたアイテムが位置するページを指す。好ましくは、「カート」または「ほしい物リスト」ページであってもよい。また、さらに好ましくは、従来構成されているこれらのページとは区別して「友だちのおすすめリスト」を別途に構成してもよい。
【００４２】
第２デバイス２００は、サービスサーバ３００に接続してログインした後、自分のアカウントのアイテムページで第１デバイス１００がすすめたアイテムを確認することができる。このような確認イベントの後、直ちに購入することができる。
【００４３】
これまでが構成要素の基本的な関係である。これに加えて、サービスサーバ３００は第１デバイスのユーザアカウントにアドバンテージイベントを実行してもよい。例えば、アイテムを友だちにすすめたならば、そのおすすめイベントに対するポイントを支給してもよい。また、好ましくは、おすすめイベントが購入イベントに繋がれば、それを記録してポイントを支給してもよい。ポイント以外にも、クーポンを発行するか商品をただで提供するなどのアドバンテージであってもよい。本発明のある実施例では、このようなアドバンテージイベントを含むが、本発明の他の好ましい実施例ではアドバンテージイベントを含まなくてもよい。
【００４４】
前記のような本発明の基本的な関係は、「私」が「友だち」に商品をすすめば、「友だち」のユーザアカウントページの中に該当商品が自動的に挿入される構成である。ユーザ同士でリンクを受け渡すことで、図１で示したように「友だち」が別途にオンラインショッピング行為をする構成とは極めて異なる。また、本発明の基本的な特徴は、「私」が商品を直接購入して（決済まで済ましてから）、該当商品を友だちに配送する贈り物をするような方法でもない。そういった贈り物をするような方法は実際のオンラインショッピングでは非常に制限的に発生し、特にショッピングを促すかユーザの日常生活と緊密に関連することもできない。本発明において、「私」は商品をすすめる。注文及び決済は「友だち」がする。友だちが簡便に注文し得るように技術環境を整えるのは「サーバ」が担当する。
【００４５】
「私」がある商品を「友だち」にすすめる場合、全ての友だちにすすめることもあり、またはある一部の友だち、或いは一人の友だちにすすめることもある。図４は、そのようなシナリオを模式的に示している。
【００４６】
第１デバイス１００のユーザには、多数の友だち関係と登録されている他のユーザがある。この場合、第１デバイス１００の観点では、第２デバイス２００が複数に存在する。あるアイテムに対し、第１デバイス１００は第２ディバス２００全てを指定して、図３で説明したイベント伝送イベントを実行する。また、第１デバイス１００は、一部の第２デバイス２０１のみを指定してアイテムをすすめることもある。なお、アイテムをすすめられた全てのユーザが該当アイテムを購入するとは限らない。図示したように、一部のデバイス２０３のみ購入する可能性がある。結果的に、第１デバイス１００と、サービスサーバが管理するネットワークシステムにおける商品おすすめイベントから購入イベントまで繋がった第２デバイス２０３とが存在し、それだけアイテムがソーシャルネットワーク方式で拡散されたといえる。
【００４７】
図５は、本発明のある好ましい実施例において、第２デバイスがサーバに接続しユーザアカウントでログインした際、第１デバイスのユーザがすすめたアイテムがサーバによって自動的に挿入されたユーザ画面を例示している。
【００４８】
図５のユーザアカウントページ２０００は、アイテムページ２５００を含む。アイテムページ２５００は、友だち関係と登録された他のユーザ（第１デバイス１００のユーザ）がすすめたアイテムリスト２５１０を表示する。図示したように、異なるユーザがすすめたアイテムリスト２５１０が共に表示される。
【００４９】
アイテムリスト２５１０は、商品情報領域２５１１とすすめた人の情報領域２５１３を含んで構成される。これらの領域２５１１、２５１３は概念的に区別したものあって、物理的に完全に分離されなくてもよい。すすめた友だちの名前、アカウント、商品名、イメージ、価格などの情報が表示される。
【００５０】
また、前記アイテムページ２５００には各アイテムリスト２５１０ごとにもっと見るボタン２５２０と購するボタン２５２１が設けられる。もっと見るボタン２５２０を押すと、商品詳細ページに移動する。購入するボタン２５２１を押すと、直ちに決済ページに移動する。
【００５１】
図５のユーザインタフェース構成は、多様にデザインされてもよい。ユーザのアイテムページ２５００に友だちのアカウントの要請によってサーバが挿入したおすすめアイテムが入っている構成であれば、画面デザインを多様に変更することで本発明の技術的範囲を制限することができない。
【００５２】
前記のような詳細な説明に基づいて、再度本発明の方法を構成する全体プロセスを好ましいある実施例としてまとめて、図６に示した。本発明の方法は、オンラインまたはモバイルシステムにおいて、友だちのアカウントにアイテムをプッシュする方法である。また、本発明の方法は、オンラインショッピング方法でもある。なお、本発明の方法は、モバイルショッピング方法であってもよい。
【００５３】
まず、第１デバイスがＮ個の第２デバイスと友だち関係を登録するＳ１０。ある実施例において、Ｎは１以上の整数である。友だちユーザが一人である場合を含む。また、他の実施例において、Ｎは１よりの大きい整数である。友だちユーザが基本的に複数な場合である。
【００５４】
前記ステップＳ１０は、デバイスのユーザがサーバのサービスに加入する手続を前提とする。これは、一般にサーバが提供するショッピングサイト、オンラインサイト、ポータルサイト、モバイルフラットフォームなど、多様な形態のシステムに接続し、加入手続を経て行われる。おおよそその後他のユーザアカウントを友だち関係として、同時に、順次に、必要に応じて登録する。
【００５５】
次に、第１デバイスがサーバに接続してサーバシステムが提供するアイテムを選択し、Ｋ個（ＫはＮ以下の整数である）の第２デバイスのユーザアカウントを指定して、アイテム伝送イベントを発生するＳ２０。アイテム伝送イベントを介して、アイテムとそのアイテムをすすめる他のユーザが特定される。
【００５６】
すると、サーバは特定されたユーザアカウントのアイテムページリストに、該当アイテムを取り入れるＳ３０。
【００５７】
次に、Ｐ個（ＰはＫ以下の整数である）の第２デバイスのユーザがサーバに接続しログインして（接続時点でログイン状態が維持されている可能性もある）、自分のアイテムページに挿入されているアイテムを確認するか、そして／または、購入するＳ４０。ステップＳ４０がどのように行われるのかについては、図５の画面シナリオを介して確認することができる。
【００５８】
次に、サーバは予め決められた後続プロセスを行うＳ５０。ステップＳ５０には、多様なイベントが含まれてもよい。ログイベント（アイテムのおすすめからアイテムの購入までのログを記録する）、アドバンテージイベント（商品を進めた第１デバイスユーザに予め決められたアドバンテージを実行する。これについては上述したようである）、通知イベント（商品をすすめた友だちのデバイスにステップＳ４０が行われたことを通信網を介して通知）などが含まれる。
【００５９】
図６のプロセスは、例えば、ネットショップで行われることが好ましい。本明細書の読者は、一般のネットショップに本発明の特徴を具現することを考えられるだろう。しかし、必ずしもそれに限らない。例えば、図７は、本発明の特徴がモバイルアプリケーション基盤で具現され得ることを示している。
【００６０】
第１モバイルデバイス１１０と第２モバイルデバイス２１０にそれぞれモバイルアプリケーションを設置するＳ１００、Ｓ２００。モバイルアプリケーションは商品情報を提供し、検索手段を提供し、また注文と決済モジュールを含む。モバイルアプリケーション自体は商業的に広く使用されており、当業者に自明である。本発明では、友だちを登録するモジュール、友だちにアイテムをすすめるモジュール、すすめられたアイテムを表示するモジュール、すすめられたアイテムを注文するモジュールが含まれることが好ましい。
【００６１】
次に、第１モバイルデバイス１１０のユーザは、他のユーザと友だち関係を生成するＳ１１０。まるでフェイスブック（登録商標）やリンクド・インのようなソーシャルネットワークのように、ユーザのアカウント同士で友だち関係がサーバに登録される。ステップＳ１１０は、必ずしもモバイルデバイスで行われなくてもよい。一度他のデバイスからサーバにログインして既に友だち関係を登録したのであれば、モバイルアプリケーションでも自動的に友だち関係が登録されているはずである。友だち関係に関する情報はサーバに貯蔵されるためである。ステップＳ１１０に対応する第２モバイルデバイスにおけるステップはＳ２１０である。
【００６２】
次に、第１モバイルデバイスのモバイルアプリ画面でアイテムリストを見るＳ１２０。
【００６３】
第１モバイルデバイス１１０の入力手段が特定アイテムを選択し、友だち関係と登録されている第２モバイルデバイス２１０のユーザアカウントを指定する。その後、該当アイテムをすすめるイベント、つまり、指定されたユーザアカウントに、第２モバイルデバイス２１０へと該当アイテムを伝送してほしいと要請するイベントを、サーバに発生させるＳ１３０。このようなイベントは、ユーザ画面に表示されたボタンを入力手段が押すことで生成される。
【００６４】
すると、サーバは第１モバイルデバイス１１０で指定されたユーザアカウントのアイテムページにすすめられたアイテムを取り入れるＳ２３０。好ましくは、前記サーバは第２モバイルデバイス２１０に友だちがアイテムをすすめたことを通知することが好ましい。例えば、アプリケーションは文字メッセージ及び／またはアラーム音で通知を出力する。
【００６５】
そして、第２モバイルデバイス２１０がモバイルアプリケーションを実行して自分のアイテムページを見ると、前記ステップＳ２３０によってサーバが挿入したアイテムを確認することができるＳ２４０。前記ステップＳ２３０とステップＳ２４０には時間差がある可能性がある。友だちがアイテムをすすめたことを通知された全てのユーザが直ちに確認するとは限らないためである。
【００６６】
ステップＳ２４０まで実行した第２モバイルデバイスのユーザは、必要であれば購入するＳ２５０。しかし、必ずしも購入イベントが発生するとは限らない。
【００６７】
好ましいある実施例において、アプリケーションを介してアイテムを友だちにすすめた第１モバイルデバイスに、上述したアドバンテージイベントを実行してもよいＳ１４０。
【００６８】
ちなみに、本発明の一実施例によるオンラインショッピング方法、友だちのアカウントにアイテムをプッシュする方法、またはモバイルショッピング方法は、多様なコンピュータ手段を介して行われるプログラム命令の形態に具現されてコンピュータで判読可能な媒体に記録される。前記コンピュータで判読可能な媒体は、プログラム命令、データファイル、データ構造などを単独にまたは組み合わせて含む。前記媒体に記録されるプログラム命令は、本発明のために特別設計され構成されたものであるか、コンピュータソフトウェアの当業者に公知されて使用可能なものであってもよい。コンピュータで判読可能な媒体の例としては、ハードディスク、フロッピーディスク、及び磁気テープのような磁気媒体、ＣＤ−ＲＯＭ、ＤＶＤのような光記録媒体、フロプティカルディスク（ｆｌｏｐｔｉｃａｌ  ｄｉｓｋ)のような磁気光媒体、及びＲＯＭ、ＲＡＭ、フラッシュメモリなどのようなプログラム命令を貯蔵し行うように特別構成されたハードウェア装置を含む。プログラム命令の例としては、コンパイラによって作られるもののような機械語コードだけでなく、インタプリタなどを使用してコンピュータによって実行される高級言語コードを含んでもよい。上述したハードウェア装置は、本発明の動作を行うために一つ以上のソフトウェアモジュールとして作動するように構成されるが、その逆も同じである。
【００６９】
本発明の保護範囲は、これまで明示的に説明した実施例の記載と表現に限らない。また、本発明の属する技術分野において自明な変更や置換によって本発明の保護範囲が制限されないことも再度付言する。
【図１】
2019523947.tif 000003
【図２】
2019523947.tif 000004
【図３】
2019523947.tif 000005
【図４】
2019523947.tif 000006
【図５】
2019523947.tif 000007
【図６】
2019523947.tif 000008
【図７】
2019523947.tif 000009
【国際調査報告】
2019523947.tif 000010
2019523947.tif 000011
2019523947.tif 000012
2019523947.tif 000013